(57)【要約】コンピュータ周辺機器を本体と一体に収納するための収納器であって、所定間隔で離隔されて上下部面を形成する上下部プレートと、上下部プレートの後方側端部に接続される後方プレートと、上下部プレートの両側端部に接続され、上下部の内側面に沿ってスライド溝が対向するように形成され、上下部プレート間の後方プレート側に貫通開口が形成されて本体が置かれる一対の側面プレートと、貫通開口には一側部がヒンジ結合されて水平方向に開放可能であり、内側面に少なくとも一つ以上の受け台が備えられる開放型プレートと、上下部のスライド溝に障子式に装着される上下部スライドプレートと、一対の側面プレート上を横切って載置され、モニターが据えられる下部受け台、及び、下部受け台と垂直に形成される上部受け台によってモニターを支持するモニター支持用プレートとを含んでなる。【選択図】図２
2009505212.tif 000002
【特許請求の範囲】
【請求項１】
複合機、モニター、スピーカーからなるコンピュータ周辺機器を本体と一体に収納するための収納器であって、
所定間隔で離隔されて上下部面を形成する上下部プレート(10, 10')と、
前記上下部プレートの後方側端部に接続される後方プレート(20)と、
前記上下部プレートの両側端部に接続され、上下部の内側面に沿ってスライド溝が対向するように形成され、前記上下部プレート間の後方プレート側に貫通開口が形成されて前記本体が置かれる一対の側面プレート(30, 30')と、
前記貫通開口には一側部がヒンジ結合されて水平方向に開放可能であり、内側面に少なくとも一つ以上の受け台が備えられる開放型プレート(40, 40')と、
前記上下部のスライド溝に障子式に装着される上下部スライドプレート(50, 50')と、
前記一対の側面プレート上を横切って載置され、モニターが据えられる下部受け台、及び、前記下部受け台に対して垂直に形成される上部受け台によって前記モニターを支持するモニター支持用プレート(60)と、
を含んでなることを特徴とするコンピュータ周辺機器及び本体収納用の収納器の構造。
【請求項２】
複合機、モニター、スピーカーからなっているコンピュータ周辺機器を本体と一体で収納するための収納器であって、
所定間隔で離隔されて上下部面を形成する上下部プレート(10, 10')と、
前記上下部プレートの後方側端部に接続される後方プレート(20)と、
前記上下部プレートの両側端部に接続され、上部の内側面に沿ってスライド溝が対向するように形成され、前記上下部プレート間の後方プレート側に貫通開口が形成されて前記本体が置かれる一対の側面プレート(30, 30')と、
前記貫通開口には一側部がヒンジ結合されて水平方向に開放可能であり、内側面に少なくとも一つ以上の受け台が備えられる開放型プレート(40, 40')と、
前記上部のスライド溝に障子式に装着される上部スライドプレート(50)、及び下部面にガイドレールが形成されて下部プレートの前方側に突出形成された係止突起に係止して障子式に装着される下部スライドプレート(50')と、
前記一対の側面プレート上を横切って載置され、モニターが据えられる下部受け台、及び、前記下部受け台に対して垂直に形成される上部受け台によって前記モニターを支持するモニター支持用プレート(60)と、
を含んでなることを特徴とするコンピュータ周辺機器及び本体収納用の収納器の構造。
【請求項３】
複合機、モニター、スピーカーからなっているコンピュータ周辺機器を本体と一体で収納するための収納器であって、
所定間隔で離隔されて上下部面を形成する上下部プレート(10, 10')と、
前記上下部プレートの後方側端部に接続される後方プレート(20)と、
前記上下部プレートの両側端部に接続され、下部の内側面に沿ってスライド溝が対向するように形成され、前記上下部プレート間の後方プレート側に貫通開口が形成されて前記本体が置かれる一対の側面プレート(30, 30')と、
前記貫通開口には一側部がヒンジ結合されて水平方向に開放可能であり、内側面に反射鏡が装着される開放型プレート(40, 40')と、
前記上部のスライド溝に障子式に装着される下部スライドプレート(50')と、
前記一対の側面プレート上を横切って載置され、モニターが据えられる下部受け台、及び、前記下部受け台に対して垂直に形成される上部受け台によって前記モニターを支持するモニター支持用プレート(60)と、
前記上部プレートの下部に結合されて空間を形成し、一定のサイズの切開部(13")を備えるパネル面が前端部に形成される収納用プレート(13)と、
前記側面プレートの上部外側面に沿って形成されるガイドレールに脱着可能に結合され、上部にスピーカーが載置される受け台(45)と、
を含んでなることを特徴とするコンピュータ周辺機器及び本体収納用の収納器の構造。
【請求項４】
前記下部スライドプレートの一側に収納又は引出し可能に装着され、所定サイズのパネルと、前記パネルの一側に突出形成された突起及び前記パネルの端部を垂直に支える補助受け台とからなるマウスパッド用プレート(90)がさらに備えられることを特徴とする請求項１乃至３のいずれか１項に記載のコンピュータ周辺機器及び本体収納用の収納器の構造。
【請求項５】
前記一対の側面プレートに形成された貫通開口(35, 35')は、両側の貫通開口を横切って置かれる補助プレート(70)が備えられ、前記補助プレート上に本体が置かれることを特徴とする請求項１乃至３のいずれか１項に記載のコンピュータ周辺機器及び本体収納用の収納器の構造。
【請求項６】
前記モニター支持用プレートの上部受け台の上部と前記モニターは、クランプ(80)によって相互にクランピングされることを特徴とする請求項１乃至３のいずれか１項に記載のコンピュータ周辺機器を一体に収納できる収納器の構造。
【請求項７】
前記一対の側面プレートの上部側には第１の結合孔(32, 32')が、下部側には所定間隔で離隔された複数の第２の結合孔(34, 34')が形成され、前記モニター支持用プレートの両側部には前記各結合孔に対応する結合凹部(61, 61', 63, 63')が各々形成され、結合用ネジ(36)によって相互に結合されることを特徴とする請求項１又は２に記載のコンピュータ周辺機器及び本体収納用の収納器の構造。
【請求項８】
前記下部スライドプレート(50')は、後方側の縁部が丸く形成されることを特徴とする請求項２に記載のコンピュータ周辺機器及び本体収納用の収納器の構造。
【請求項９】
前記上部プレート前端部には、一定のサイズの切開部(11)が形成され、前記切開部にヒンジ結合されて前記各切開部(11)(13")を開閉する蓋(15)がさらに備えられることを特徴とする請求項３に記載のコンピュータ周辺機器及び本体収納用の収納器の構造。
【請求項１０】
前記収納用プレートのパネル面の一側にはコンピュータ周辺機器及び本体用電源スイッチ(19)がさらに備えられることを特徴とする請求項９に記載のコンピュータ周辺機器及び本体収納用の収納器の構造。
【請求項１１】
前記受け台(45)にはコンパクトディスク用収納溝(47)がさらに備えられることを特徴とする請求項３に記載のコンピュータ周辺機器及び本体収納用の収納器の構造。
【請求項１２】
前記一対の側面プレートの上部側には係止突起(32, 32')が、下部側には後端部側に一定角度で下方に傾斜した傾斜調節片(34, 34')が突出形成され、
前記上部受け台の両側上部には前記係止突起に対応する鉤状の係止凹部(61, 61')が形成され、前記下部受け台の底面両側には前記傾斜調節片に対応する調節突起(63, 63')が突出形成されて相互結合されることを特徴とする請求項３に記載のコンピュータ周辺機器及び本体収納用の収納器の構造。
【請求項１３】
前記傾斜調節片(34, 34')の上部面には一定間隔で複数個が形成されて前記調節突起と対応する受け凹部(33, 33')をさらに備えて相互結合されることを特徴とする請求項１２に記載のコンピュータ周辺機器及び本体収納用の収納器の構造。
【発明の詳細な説明】
【技術分野】
【０００１】
本発明は、コンピュータ周辺機器及び本体収納用の収納器の構造に関する。より詳しくは、複合機、モニター、スピーカーからなるコンピュータ周辺機器を、本体と一体に収納して机のような作業台上に位置させることによって、作業の効率性及び空間の活用を図ることができるコンピュータ周辺機器及び本体収納用の収納器の構造に関する。
【背景技術】
【０００２】
通常、コンピュータは、本体のみならず、モニター、スピーカー、マウス、及び複合機などからなっている周辺機器と一緒に使用されるのである、このような周辺機器は、使用のために本体を中心として所定位置に分離配置される。
【０００３】
しかしながら、上記のような周辺機器は、一般的に机のような作業台の上下部側に多少複雑に配置されて広い空間を占めるだけでなく、相互分離されて配置されることによって作業の効率性も非常に低いという問題点があった。
【特許文献１】米国特許4,712,842
【特許文献２】米国特許5,483,902
【特許文献３】米国特許6,092,883
【特許文献４】特開平10-057155
【発明の開示】
【発明が解決しようとする課題】
【０００４】
したがって、上記のような問題点を解決するために案出された本発明の目的は、複合機、モニター、スピーカーからなっているコンピュータ周辺機器を本体と一体で収納して机のような作業台上に位置させることによって、空間の活用性を高めることができるコンピュータ周辺機器及び本体収納用の収納器の構造を提供することにある。
【０００５】
また、本発明の目的は、収納器構造をユーザーの側面から考慮してコンピュータ作業による最大限の効率性を図ることができるコンピュータ周辺機器及び本体収納用の収納器の構造を提供することにある。
【課題を解決するための手段】
【０００６】
上記のような目的を達成するために、本発明は、複合機、モニター、スピーカーからなるコンピュータ周辺機器を本体と一体に収納するための収納器であって、所定間隔で離隔されて上下部面を形成する上下部プレートと、上下部プレートの後方側端部に接続される後方プレートと、上下部プレートの両側端部に接続され、上下部の内側面に沿ってスライド溝が対向するように形成され、上下部プレート間の後方プレート側に貫通開口が形成されて本体が置かれる一対の側面プレートと、貫通開口には一側部がヒンジ結合されて水平方向に開放可能であり、内側面に少なくとも一つ以上の受け台が備えられる開放型プレートと、上下部のスライド溝に障子式に装着される上下部スライドプレートと、一対の側面プレート上を横切って載置され、モニターが据えられる下部受け台、及び、下部受け台と垂直に形成される上部受け台によってモニターを支持するモニター支持用プレートとを含んでなることを特徴とするコンピュータ周辺機器及び本体収納用の収納器の構造を提供する。
【０００７】
また、本発明は、複合機、モニター、スピーカーからなっているコンピュータ周辺機器を本体と一体で収納するための収納器であって、所定間隔で離隔されて上下部面を形成する上下部プレートと、上下部プレートの後方側端部に接続される後方プレートと、上下部プレートの両側端部に接続され、上部の内側面に沿ってスライド溝が対向するように形成され、上下部プレート間の後方プレート側に貫通開口が形成されて前記本体が置かれる一対の側面プレートと、貫通開口には一側部がヒンジ結合されて水平方向に開放可能であり、内側面に少なくとも一つ以上の受け台が備えられる開放型プレートと、上部のスライド溝に障子式に装着される上部スライドプレート、及び下部面にガイドレールが形成されて下部プレートの前方側に突出形成された係止突起に係止して障子式で装着される下部スライドプレートと、一対の側面プレート上を横切って載置され、モニターが据えられる下部受け台、及び、下部受け台と垂直に形成される上部受け台によってモニターを支持するモニター支持用プレートとを含んでなることを特徴とするコンピュータ周辺機器及び本体収納用の収納器の構造を提供する。
【０００８】
さらに、本発明は、複合機、モニター、スピーカーからなっているコンピュータ周辺機器を本体と一体で収納するための収納器であって、所定間隔で離隔されて上下部面を形成する上下部プレートと、上下部プレートの後方側端部に接続される後方プレートと、上下部プレートの両側端部に接続され、下部の内側面に沿ってスライド溝が対向するように形成され、上下部プレート間の後方プレート側に貫通開口が形成されて前記本体が置かれる一対の側面プレートと、貫通開口には一側部がヒンジ結合されて水平方向に開放可能であり、内側面に反射鏡が装着される開放型プレートと、上部のスライド溝に障子式に装着される下部スライドプレートと、一対の側面プレート上を横切って載置され、モニターが据えられる下部受け台、及び、下部受け台と垂直に形成される上部受け台によって前記モニターを支持するモニター支持用プレートと、上部プレートの下部に結合されて空間を形成し、一定のサイズの切開部を備えるパネル面が前端部に形成される収納用プレートと、側面プレートの上部外側面に沿って形成されるガイドレールに脱着可能に結合され、上部にスピーカーが載置される受け台とを含んでなることを特徴とするコンピュータ周辺機器及び本体収納用の収納器の構造を提供する。
【発明の効果】
【０００９】
本発明は、従来の机のような作業台の上下部に分散されて配置されるコンピュータ周辺機器及び本体を一体で収納できる構造とし、またこれを作業台の上に位置できるようにすることによって、作業の効率性及び空間の活用性を最大限に図ることができる。
【００１０】
本発明は、高価のコンピュータ専用作業台を備えなくても低コストでコンパクトな収納器が提供でき、また収納器を机のような作業台上にすぐ配置することができるため、非常に有用である。
【発明を実施するための最良の形態】
【００１１】
以下、本発明の望ましい実施形態を添付の図面を参照して詳細に説明する。
【００１２】
＜第１の実施形態＞
図１は、本発明によるコンピュータ周辺機器及び本体収納用の収納器の構造の分解斜視図である。
【００１３】
図１に示すように、本発明の収納器は、大きく、収納器のボディーを形成するものとしての上下部プレート１０、１０’、後方プレート２０、及び一対の側面プレート３０，３０’と、上記ボディーに各々備えられるものとしての、一対の開放型プレート４０，４０’、上下部スライドプレート５０，５０’、及びモニター支持用プレート６０で構成される。
【００１４】
まず、上部プレート１０と下部プレート１０’は、所定の間隔、より具体的にはその間に収納されたコンピュータ本体又はモニターの高さを考慮して適切な間隔で相互離隔されるように形成され、また各プレートの面積は収納される本体や周辺機器などの幅などを考慮して適切に形成される。
【００１５】
上下部プレート１０，１０’の後方側端部は後方プレート２０によって垂直に接続され、その反対側、すなわち前方側は開放された状態となる。
【００１６】
このとき、後方プレート２０には、後述する本体の装着時に発生する熱の円滑な排出と外部電源接続のために適当なサイズ及び形状からなされた貫通開口が備えられるようにすることが望ましい。
【００１７】
一方、上下部プレート１０，１０’の両側端部には、一対の側面プレート３０，３０’が垂直に接続され、これらの上下部側の内側面には、前方から後方側へと、上部側スライド溝１１，１１’と下部側スライド溝１２，１２’が各々対向するように形成される。
【００１８】
一対の側面プレート３０，３０’には、上下部プレート１０，１０’の間、より具体的には上下部側スライド溝１１，１１’，１２，１２’間の後方プレート２０の側に、貫通開口３５、３５’が各々形成される。
【００１９】
ここで、貫通開口３５、３５’は、本発明による収納器が最終的に組み立てられた場合に、コンピュータ本体が通過できる程度のサイズに形成されることが好ましく、このとき、上記本体は両側貫通開口３５、３５’の下部側を横切って置かれる補助プレート７０上に置かれるようになる。
【００２０】
また、一対の側面プレート３０、３０’における上部側には第１の結合孔３２、３２’が形成され、下部側には、所定間隔で離隔された複数の第２の結合孔３４，３４’が形成されて、後述するモニター支持用プレート６０が装着可能となっている。
【００２１】
このようにして、上下部プレート１０，１０’、後方プレート２０、及び側面プレート３０，３０’からなる、本発明による収納器のボディーが形成されている。
【００２２】
上記のように形成されたボディーには、一対の開放型プレート４０，４０’、上下部スライドプレート５０，５０’、及びモニター支持用プレート６０が備えられる。まず、側面プレート３０，３０’に形成された両側貫通開口３５，３５’には、一側部がヒンジ結合され、内側面に少なくとも一つ以上の受け台４５が備えられた一対の開放型プレート４０，４０’がそれぞれ装着される。
【００２３】
このとき、開放型プレート４０、４０’は、ヒンジ結合によって水平方向に開放可能になるため、外側への開放状態でコンピュータ本体を貫通開口３５，３５’を通じて内部に入れることが可能になる。
【００２４】
次に、下部スライドプレート５０，５０’は、上部側スライド溝１１、１１’と下部側スライド溝１２、１２’に、障子式にそれぞれ装着されて前後方側にスライディング可能になる。
【００２５】
このとき、上部側スライド溝１１，１１’に上部スライドプレート５０の両側部が嵌められてスライディングされるようにし、下部スライドプレート５０’の両側部に別途に突起１４，１４’を形成し、突起１４，１４’が下部スライド溝１２，１２’に嵌められてスライディングされるようにするなど、多様な方法で実施できることはもちろんである。
【００２６】
最後に、一対の側面プレート３０，３０’上を横切ってモニター支持用プレート６０が載置される。モニター支持用プレート６０は、モニターが据えられる下部受け台６２と、この受け台６２に垂直に形成される上部受け台６４からなる。上部受け台６４には、モニターの電源接続やモニターから発生される熱の円滑な排出のために、所定サイズの貫通開口６８が形成される。
【００２７】
このとき、空間活用のために、モニターが、公知のように、ディスプレー部と下支え部が相互に分離される製品である場合に、ディスプレー部を下支え部から分離してディスプレー部のみを据え付ける。また、下支え部を後ろに反り返らした場合、この状態にてディスプレー部を据え付けることができる。
【００２８】
一方、一対の側面プレート３０，３０’上を横切ってモニター支持用プレート６０を載置させるために、モニター支持用プレート６０の両側上下部には側面プレート３０，３０’に形成された第１の結合孔３２，３２’に対応する結合凹部６１，６１’、及び複数の第２の結合孔３４，３４’に対応する結合凹部６３，６３’が形成される。
【００２９】
図２には、以上のようにして、各プレートの相互結合及び締結を経て収納器の組立を完了した状態を示す。図２は、本発明によるコンピュータ周辺機器及び本体収納用の収納器の構造についての全体斜視図である。
【００３０】
図２に示すように、上部スライドプレート５０は上部側で、そして下部スライドプレート５０’は下部側で障子式に各々装着される。上部スライドプレート５０は、上部プレート１０との間に、所定高さを有する内部空間を形成するので、この空間を活用してスライドプレート５０上には紙のような印刷用紙が置かれる図２に。また、下部スライドプレート５０’上にはコンピュータ用キーボードが置かれるようになる。
【００３１】
上部スライドプレート５０の前方側端部には、その中に収納された紙が外側に飛び出すことを防止し、かつ手で取って引くことができるように、係止突起５２が形成されることが望ましい。また、下部スライドプレート５０’の前方側端部にも、手で取って引くことができるようにしつつ、下部スライドプレート５０’が必要以上に内側へと収納されるのを防止するために、係止突起５２’が形成されることが望ましい。
【００３２】
一方、上部面を形成する上部プレート１０上には、プリンタ、複写機、スキャナーなどの複合機能を有する複合機が置かれる。両側から水平方向へ開放可能な開放型プレート４０，４０’を、外側へと全開した状態にて、コンピュータ本体を、内部に押し込み、モニター支持用プレート６０と後方プレート２０との間の空間、言い換えれば、両側貫通開口を横切って置かれることができる補助プレート７０上に載置可能にする。
【００３３】
開放型プレート４０，４０’に備えられた受け台４５には、スピーカーが置かれる。スピーカーは回転可能な開放型プレート４０，４０’によって音響放出角度を適切に調節することができるという利点がある。
【００３４】
一方、上下部プレート１０，１０’間の空間には、モニター支持用プレート６０が位置する。このモニター支持用プレート６０は、上述したように一対の側面プレート３０，３０’上を横切って載置される。まず、モニター支持用プレート６０の両側部の上部側に形成された結合凹部６１，６１’(図１を参照)を、上記一対の側面プレート３０，３０’の上部側に形成された第１の結合孔３２，３２’(図１を参照)に位置させて、結合用ネジ３６で締結する。そして、下部側に形成された結合凹部６３，６３’(図１を参照)を一対の側面プレート３０，３０’の下部側に形成された複数の第２の結合孔３４，３４’(図１を参照)のうちいずれか一つと一致するように位置させて、結合用ネジ３６で締結することで達成される。
【００３５】
このとき、第２の結合孔３４，３４’は、複数個が相互に離隔されて形成されているため、結合凹部６３，６３’と結合される結合孔を、相互に異なるように締結する場合に、固定された上部に対して下部側が第２の結合孔の離隔された間隔だけ可変されることができる。したがって、モニター支持用プレート６０は、垂直から、所定角度だけ調節が可能になっている。
【００３６】
したがって、モニター支持用プレート６０に据えられるモニターは、作業者が作業するのに適当な角度で調節できるようになっている。
【００３７】
一方、モニター支持用プレート６０に据えられるモニターは、上述したように垂直方向に対して所定角度だけ調節することが可能であっても、より安全な結合のために別途の装置で相互結合されるようにすることが望ましい。図３は、これを具体的に示すもので、本発明によるモニター支持用プレートの結合関係を示す斜視図である。
【００３８】
まず、モニター支持用プレート６０の上部受け台６４の上部側と、モニターＭが相互結合されるようにクランプ８０によって相互にクランピングされることによって達成されることができる。
【００３９】
クランプ８０は、一時的に相互締結される構造であれば、いずれでも良いが、本発明による図示のように、一対のディスク部材８４と、その間に介在されるコイルバネ８２と、一側端部が一対のディスク部材８４の一側と接続され、他側が結合片８６に接続される支持棒８５とを含む。
【００４０】
支持棒８５の結合片８６と、一対のディスク部材８４とは、モニター支持用プレート６０の上部受け台６４の上部側に形成された少なくとも一つ以上の貫通孔６６を間に挟むように配置されて結合している。このように結合片８６を弾力支持することによって、結合片８６にモニターＭが係止して相互結合するようになる。
【００４１】
一方、本発明によると、コンピュータ周辺機器として非常に重要なマウスのパッドが使用されるように、別途のマウスパッド用プレートを備えることもできる。図４は、これを詳細に示すもので、マウスパッド用プレートの結合関係を示す斜視図である。
【００４２】
図示のように、マウスパッド用プレート９０は、障子式すなわちスライド式に装着され、上面にキーボードが置かれる下部スライドプレート５０’の一側に、収納又は引出しが可能なように装着される。
【００４３】
すなわち、下部スライドプレート５０’の使用が不必要なので、側面プレート３０，３０’の内側面に押込む場合に、本発明によるマウスパッド用プレート９０も下部スライドプレート５０’の一側に収納できるように装着する。キーボード使用が必要なので下部スライドプレート５０’を引出し、すなわち外側に引き出す場合に、マウスパッド用プレート９０も外部に自由に引き出すことができるように装着される。
【００４４】
そのために、マウスパッド用プレート９０は、所定サイズのパネル９２とパネル９２の一側に突出形成された突起９４及びパネル９２の端部を垂直に支える補助受け台９６からなる。
【００４５】
突起９４は、マウスパッド用プレート９０が下部スライドプレート５０’の内側に収納された場合に、これを把持して引出しが容易にするための役割を遂行する。このために、下部スライドプレート５０’には突起９４の形状に対応する凹部９４’が形成されることが望ましい。
【００４６】
補助受け台９６は、マウスパッド用プレート９０が全部引き出された場合に、机のような作業台の表面との高さの差を補完して、パネル９２が水平状態を維持可能にする。
【００４７】
一方、補助受け台９６によってマウスパッド用プレート９０が下部スライドプレート５０’の内側に全部すっぽり収納されないということを防止するために、収納時に補助受け台９６が収納される下部スライドプレート５０’部分の構造は、補助受け台９６の形状に対応する構造であり、かつ補助受け台９６が内側に収容される構造であるように形成される。
【００４８】
以上のようにして、本発明の収納器は、複合機、モニター、スピーカー、マウスからなるコンピュータ周辺機器を本体と一体に収納可能にし、机のような作業台上に直ちに置かれるため、空間活用性を最大限に極大化することができる。
【００４９】
一方、本発明は、上記のように実施することができるが、下部スライドプレート５０’のスライディング構造を異にして構成することもできる。
【００５０】
＜第２の実施形態＞
図５は、これを具体的に示すもので、本発明による他の実施形態を示す分解斜視図である。
【００５１】
図５に示すように、下部プレート１０，１０’、これらに接続される後方プレート２０、及び一対の側面プレート３０，３０’が、収納部のボディーを構成する。この側面プレート３０，３０’には、上部側の内側面のみにスライド溝１１，１１’が相互に対向するように形成される。
【００５２】
また、上部側スライド溝１１，１１’に障子式に装着される上部スライドプレート５０とは異なり、下部スライドプレート５０’は、後方側の縁部を丸く形成し、下部面の中心部に沿って前後方向にガイドレール５５が形成され、下部プレート１０の前方側に突出形成された係止突起１５にガイドレール５５が係止されて障子式に装着される特徴がある。
【００５３】
その他に特別に言及しない構成、例えば開放型プレート４０，４０’だけでなく、モニター支持用プレート６０、補助プレート７０、マウスパッド用プレート９０などの構成は、上述したものとすべて同一であるので、ここではその詳細な説明を省略する。
【００５４】
図６は、図５による下部スライドプレートの結合関係をより詳細に示す。図６の(ａ)は、ガイドレールと係止突起の結合関係を示す概念図であり、図６の(ｂ)は上記結合関係により動作する下部スライドプレートの作動状態を示す概念図である。
【００５５】
まず、図６の(ａ)に示すように、下部プレート１０’の中心部前方側の所定位置に形成された係止突起１５は、ヘッド部がネジのような形態で突出形成されており、このヘッド部が下部スライドプレート５０’の下部面に形成されたガイドレール５５に嵌められて結合される。
【００５６】
このように結合されて下部スライドプレート５０’が所定の長さだけ前方側に引き出された場合に、図６の(ｂ)に示すように、下部スライドプレート５０’において、係止突起１５が回動軸（ピボット）の役割をし、下部スライドプレート５０’は、係止突起１５を中心として左側(点線)又は右側(実線)に方向切り替えが可能になっている。
【００５７】
したがって、本発明による収納器を使用して一人以上が作業する場合に、簡単に下部スライドプレート５０’を左右側に移動することだけで、作業者の位置を変更せずに座ったそのままで、相互に、キーボード使用が可能になる。これにより、何よりもユーザー側について考慮してコンピュータ作業の効率性を極大化することができる。
【００５８】
一方、本発明は、上記のように実施されることができるが、上部プレートの構造と共に受け台４５及びモニター支持用プレート６０の結合構造を異にして構成することもできる。
【００５９】
＜第３の実施形態＞
図７は、これを具体的に示すもので、本発明による、さらに他の実施形態を示す分解斜視図である。
【００６０】
図７に示すように、上下部プレート１０，１０’、これらに接続される後方プレート２０、及び一対の側面プレート３０，３０’が収納部のボディーを構成する。上部プレート１０の下部側は、一定のサイズの切開部１３’’を備えるパネル面１３’が前端部に形成された収納用プレート１３に結合され、空間を形成する。
【００６１】
上部プレート１０の前端部には一定のサイズの切開部１１が形成され、切開部１１には各切開部１１，１３’’を開閉する蓋１５がヒンジ結合される。
【００６２】
このとき、収納用プレート１３のパネル面１３’の一側には、コンピュータ周辺機器及び本体用電源スイッチ１９が備えられ、上部プレート１０と収納用プレート１３との間に収納されるマルチタップ(tap)に接続される。
【００６３】
また、開放型プレート４０，４０’は、内側面に一つ以上が備えられる受け台４５の代わりに反射鏡４２，４２’を装着し、ユーザーが座ったまま補助プレート７０上に置かれている本体を含む内部構造を把握できるようにする。
【００６４】
そして、側面プレート３０，３０’の上部側外側面には、上部プレート１０と平行にガイドレール３８，３８’が形成され、ここに受け台４５，４５’が脱着可能に結合されて上部にスピーカーが載置される。
【００６５】
ここで、受け台４５，４５’にはコンパクトディスク用収納溝４７，４７’が、さらに備えられてユーザーがよく使用するプログラム及びデータが格納されたコンパクトディスクを一目僚然に複数枚整理することができる。
【００６６】
一方、一対の側面プレート３０，３０’の上部側には係止突起３２，３２’が、下部側には後端部側に一定角度で下方傾斜した傾斜調節片３４，３４’が突出形成されてモニター支持用プレート６０と相互結合される。
【００６７】
ここで、モニター支持用プレート６０の上部受け台６４の両側上部に示すように、係止突起３２，３２’に対応する鉤形状の係止凹部６１，６１’が形成されて係止凹部６１，６１’の切開された部分を通じて係止突起３２，３２’が嵌められるようにしてから、モニター支持用プレート６０を係止突起３２，３２’に係止すると、相互結合が完了する。
【００６８】
このとき、下部受け台６２の底面両側には傾斜調節片３４，３４’に対応する調節突起６３，６３’が突出形成されて相互結合され、このために傾斜調節片３４，３４’の上部面には調節突起６３、６３’に対応する受け凹部３３，３３’が一定間隔で複数個形成される。
【００６９】
その他に特別に言及しない構成、例えば補助プレート７０を始めとしてモニター支持用プレート６０と結合されるクランプ８０、下部スライドプレート５０’に装着されるマウスパッド用プレート９０などの構成は、上述したものとすべて同一であるため、ここではこれに対する詳細な説明は省略する。
【００７０】
以上のように、本発明は、机のような作業台上にコンピュータ周辺機器及び本体を一体で収納できるように収納器構造を提供しようとすることに、基本的な技術的思想があることをわかる。
【００７１】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００７２】
【図１】本発明によるコンピュータ周辺機器及び本体収納用の収納器の構造の分解斜視図である。
【図２】本発明によるコンピュータ周辺機器及び本体収納用の収納器の構造の全体斜視図である。
【図３】本発明によるモニター支持用プレートの結合関係を示す斜視図である。
【図４】本発明によるマウスパッド用プレートの結合関係を示す斜視図である。
【図５】本発明による他の実施形態を示す分解斜視図である。
【図６】図５による下部スライドプレートの結合関係を示す概念図である。
【図７】本発明による、さらに他の実施形態を示す分解斜視図である。
【符号の説明】
【００７３】
１０，１０’    上下部プレート      １２，１２’    スライド溝
２０          後方プレート        ３０，３０’    側面プレート
４０，４０’    開放型プレート      ５０，５０’    上下部スライドプレート
６０          モニター支持用プレート    ７０          補助プレート
８０          クランプ    
９０          マウスパッド用プレート
【図１】
2009505212.tif 000003
【図２】
2009505212.tif 000004
【図３】
2009505212.tif 000005
【図４】
2009505212.tif 000006
【図５】
2009505212.tif 000007
【図６】
2009505212.tif 000008
【図７】
2009505212.tif 000009
【国際調査報告】
2009505212.tif 000010
2009505212.tif 000011